(57)【要約】【課題】超音波プローブと装置本体との間で無線送信される信号の受信状態を把握することができる技術を提供する。【解決手段】受信電力検出部２０５は、無線受信部２０４によって受信された信号の受信電力を検出する。受信電力検出部２０５によって検出された受信電力の大きさを表示する受信電力表示部が装置本体側の受信機などに設けられる。受信電力表示部は、例えば、複数のＬＥＤなどで構成され、複数のＬＥＤの点灯数によって受信電力を表現する。【選択図】図２
2008018109.tif 000002
【特許請求の範囲】
【請求項１】
超音波プローブと装置本体との間でデータを無線で送受信するワイヤレス超音波診断装置において、
前記超音波プローブは、
被検体に対して超音波を送受波してエコーデータを取得する送受波部と、
エコーデータに基づいて生成される信号を装置本体へ無線送信する無線送信部と、
を有し、
前記装置本体は、
前記超音波プローブから無線送信される信号を受信してエコーデータを再生する無線受信部と、
無線受信部によって受信された信号の受信電力を検出する受信電力検出部と、
無線受信部によって再生されたエコーデータに基づいて超音波画像を形成する超音波画像形成部と、
を有する、
ことを特徴とするワイヤレス超音波診断装置。
【請求項２】
請求項１に記載のワイヤレス超音波診断装置において、
前記装置本体は、受信電力検出部によって検出された受信電力の大きさを表示する、
ことを特徴とするワイヤレス超音波診断装置。
【請求項３】
請求項１に記載のワイヤレス超音波診断装置において、
前記装置本体は、受信電力検出部によって検出された受信電力が所定レベルよりも低い場合にエラーメッセージを表示する、
ことを特徴とするワイヤレス超音波診断装置。
【請求項４】
請求項１に記載のワイヤレス超音波診断装置において、
前記装置本体は、超音波画像形成部によって形成された超音波画像の画像データと共に、その超音波画像に対応した信号の受信電力の状態を示す受信状態情報をデータ記憶部へ記憶する、
ことを特徴とするワイヤレス超音波診断装置。
【請求項５】
請求項１に記載のワイヤレス超音波診断装置において、
前記装置本体は、受信電力検出部によって検出された受信電力が所定レベルよりも低い場合に超音波画像を静止表示する、
ことを特徴とするワイヤレス超音波診断装置。
【請求項６】
請求項１に記載のワイヤレス超音波診断装置において、
前記装置本体は、前記超音波プローブから無線送信される信号をダイバシティ方式で受信する複数の受信機を有し、各受信機ごとに、受信された信号の受信電力を検出して受信電力の大きさを表示する、
ことを特徴とするワイヤレス超音波診断装置。
【請求項７】
超音波プローブと装置本体との間でデータを無線で送受信するワイヤレス超音波診断装置において、
前記超音波プローブは、
被検体に対して超音波を送受波してエコーデータを取得する送受波部と、
エコーデータに基づいて生成される信号を装置本体へ無線送信する無線送信部と、
装置本体から無線送信される制御信号を受信する制御信号受信部と、
制御信号受信部によって受信された制御信号の受信電力を検出する受信電力検出部と、
を有し、
前記装置本体は、
前記超音波プローブから無線送信される信号を受信してエコーデータを再生する無線受信部と、
再生されたエコーデータに基づいて超音波画像を形成する超音波画像形成部と、
超音波プローブへ制御信号を無線送信する制御信号送信部と、
を有する、
ことを特徴とするワイヤレス超音波診断装置。
【発明の詳細な説明】
【技術分野】
【０００１】
本発明は、超音波プローブと装置本体との間でデータを無線で送受信するワイヤレス超音波診断装置に関する。
【背景技術】
【０００２】
超音波プローブで得られたエコーデータなどを装置本体へ無線送信するワイヤレス超音波診断装置が知られている（特許文献１〜３参照）。
【０００３】
従来のワイヤレス超音波診断装置では、超音波プローブに送信アンテナが取り付けられ、その送信アンテナから、超音波信号などによって変調された無線信号が空間内へ送信される。そして、装置本体に設けられた受信アンテナによってその無線信号が受信され、受信された信号が装置本体内において復調されて画像処理などが行われる。
【０００４】
ワイヤレス超音波診断装置によって、超音波プローブと装置本体とを接続するプローブケーブルが無くなることにより、超音波プローブの操作性が飛躍的に向上することが期待されている。しかしながら、ワイヤレス超音波診断装置を具現化するにあたっては、いくつかの克服すべき課題があるのも事実である。
【０００５】
【特許文献１】特開２００４−１４１３２８号公報
【特許文献２】特開昭５５−１５１９５２号公報
【特許文献３】特開昭５３−１０８６９０号公報
【発明の開示】
【発明が解決しようとする課題】
【０００６】
ワイヤレス超音波診断装置の具現化にあたって克服すべき課題として、例えば、超音波プローブと装置本体との間で無線送信される信号の電波状態に伴う問題を挙げることができる。例えば、実際に患者などを診断する際には、超音波プローブが様々な位置や方向で利用され、超音波プローブに設けられた送信アンテナの方向が変化し、送信アンテナの方向に応じて装置本体の受信アンテナが十分な受信感度で信号を受信できない事態などが考えられる。
【０００７】
また、超音波プローブの向きや装置本体からの距離などの良好な状態をユーザが感覚的に掴めず、例えば、診断中に急に超音波画像の画質が低下するなどの事態も考えられる。
【０００８】
本発明はこのような背景において成されたものであり、その目的は、超音波プローブと装置本体との間で無線送信される信号の受信状態を把握することができる技術を提供することにある。
【課題を解決するための手段】
【０００９】
上記目的を達成するために、本発明の好適な態様であるワイヤレス超音波診断装置は、超音波プローブと装置本体との間でデータを無線で送受信するワイヤレス超音波診断装置において、前記超音波プローブは、被検体に対して超音波を送受波してエコーデータを取得する送受波部と、エコーデータに基づいて生成される信号を装置本体へ無線送信する無線送信部とを有し、前記装置本体は、前記超音波プローブから無線送信される信号を受信してエコーデータを再生する無線受信部と、無線受信部によって受信された信号の受信電力を検出する受信電力検出部と、無線受信部によって再生されたエコーデータに基づいて超音波画像を形成する超音波画像形成部を有することを特徴とする。
【００１０】
望ましい態様において、前記装置本体は、受信電力検出部によって検出された受信電力の大きさを表示することを特徴とする。望ましい態様において、前記装置本体は、受信電力検出部によって検出された受信電力が所定レベルよりも低い場合にエラーメッセージを表示することを特徴とする。
【００１１】
望ましい態様において、前記装置本体は、超音波画像形成部によって形成された超音波画像の画像データと共に、その超音波画像に対応した信号の受信電力の状態を示す受信状態情報をデータ記憶部へ記憶することを特徴とする。望ましい態様において、前記装置本体は、受信電力検出部によって検出された受信電力が所定レベルよりも低い場合に超音波画像を静止表示することを特徴とする。
【００１２】
望ましい態様において、前記装置本体は、前記超音波プローブから無線送信される信号をダイバシティ方式で受信する複数の受信機を有し、各受信機ごとに、受信された信号の受信電力を検出して受信電力の大きさを表示することを特徴とする。
【００１３】
また、上記目的を達成するために、本発明の好適な態様であるワイヤレス超音波診断装置は、超音波プローブと装置本体との間でデータを無線で送受信するワイヤレス超音波診断装置において、前記超音波プローブは、被検体に対して超音波を送受波してエコーデータを取得する送受波部と、エコーデータに基づいて生成される信号を装置本体へ無線送信する無線送信部と、装置本体から無線送信される制御信号を受信する制御信号受信部と、制御信号受信部によって受信された制御信号の受信電力を検出する受信電力検出部を有し、前記装置本体は、前記超音波プローブから無線送信される信号を受信してエコーデータを再生する無線受信部と、再生されたエコーデータに基づいて超音波画像を形成する超音波画像形成部と、超音波プローブへ制御信号を無線送信する制御信号送信部を有することを特徴とする。
【発明の効果】
【００１４】
本発明により、超音波プローブと装置本体との間で無線送信される信号の受信状態を把握することが可能になる。
【発明を実施するための最良の形態】
【００１５】
以下、本発明の好適な実施形態を説明する。
【００１６】
図１および図２は、本発明に係るワイヤレス超音波診断装置の好適な実施形態を説明するための図である。本実施形態のワイヤレス超音波診断装置は、超音波プローブと装置本体で構成され、図１には、超音波プローブの機能ブロック図が示されており、図２には、装置本体の機能ブロック図が示されている。
【００１７】
まず、超音波プローブについて説明する。図１に示すように、超音波プローブは、被検体に対して超音波を送受波する複数の振動子１０２を備えている。各振動子１０２には、図示しない超音波の送信回路などが接続されており、送信回路から出力される信号に応じて、複数の振動子１０２から超音波パルスが被検体に向けて送波される。そして、複数の振動子１０２によって、被検体から得られる反射波（エコー）が受波される。
【００１８】
複数の振動子１０２の各々に対応して、増幅器１０４とアナログデジタルコンバータ（ＡＤＣ）１０６が設けられている。各増幅器１０４は、対応する振動子１０２の受波結果を増幅し、対応するＡＤＣ１０６へ出力する。これにより、各振動子１０２の各々から得られる受波信号がデジタル化されて複数のＡＤＣ１０６からデジタルビームフォーマ１０８へ出力される。
【００１９】
デジタルビームフォーマ１０８は、複数のＡＤＣ１０６から得られる受波データ（デジタル化された受波信号）を整相加算することにより受信ビームフォーミングを行う回路である。本実施形態において、デジタルビームフォーマ１０８は、第一段階目の整相加算処理を行う。つまり、複数の振動子１０２、例えば６４個の振動子１０２について、隣接する８個の振動子１０２で構成される振動子群ごとに整相加算処理を行う。そして、８つの振動子群の各々について整相加算処理を行い、各振動子群の整相加算結果を１チャンネルとして、８つの振動子群で合計８チャンネルの整相加算データを出力する。
【００２０】
ちなみに、後に説明する装置本体内のデジタルビームフォーマ（図２の符号２１０）において第二段階目の整相加算処理が行われ、全ての振動子１０２から得られる受波データが１本のビームデータとして纏められる。
【００２１】
ＰＳ変換部１１０は、デジタルビームフォーマ１０８において形成された８チャンネルの整相加算データをパラレルデータとして受け取り、受け取った８チャンネルのパラレルデータを時間軸方向に一列に並べたシリアルデータに変換する。こうして、シリアルデータに変換された８チャンネル分の整相加算データがＰＳ変換部１１０から出力される。
【００２２】
なお、デジタルビームフォーマ１０８は、次々に出力される受波データを受信ビームごとに整相加算処理する。そのため、デジタルビームフォーマ１０８から、複数の受信ビームに関する整相加算結果が次々に出力され、ＰＳ変換部１１０から複数の受信ビームの整相加算データが時系列順で次々に出力される。この過程で、ＰＳ変換部１１０から出力される一連のシリアルデータ内に、各受信ビームの同期データが挿入され、シリアルデータ内における受信ビームごとの区切りが設けられる。
【００２３】
無線送信部１１２は、ＰＳ変換部１１０から出力されるシリアルデータに基づいてＰＳＫ（Phase Shift Keying）などのデジタル変調処理を施す。ＰＳＫに換えてＡＳＫ（Amplitude Shift Keying）やＦＳＫ（Frequency Shift Keying）などのデジタル変調処理を利用してもよい。そして、変調処理後の信号が電力増幅され、送信アンテナ１１４から電波として送信される。送信アンテナ１１４は、例えば、平面アンテナである。
【００２４】
こうして、シリアルデータに変換されたデジタルエコーデータにより変調された無線信号（エコー信号）が送信アンテナ１１４から送信される。例えば、送信キャリア周波数が６０ＧＨｚで、帯域が１ＧＨｚ程度の１チャンネルの無線信号が送信される。
【００２５】
操作パネル１２２は、ユーザ操作を受け付けるデバイスであり、例えば、複数のボタンスイッチなどで構成される。プローブ制御部１２０は、超音波プローブ内の各部を制御する機能を備えている。プローブ制御部１２０は、操作パネル１２２を介して入力されるユーザ操作などに応じて超音波プローブ内の各部を制御する。
【００２６】
さらに、プローブ制御部１２０は、制御信号受信部１１８を介して入力される装置本体側の制御信号を参照して超音波プローブを制御する機能を備えている。つまり、装置本体側に設定されたモード情報などが制御信号として装置本体から無線送信され、そして、その無線送信された制御信号が受信アンテナ１１６を介して制御信号受信部１１８によって受信され、受信された制御信号がプローブ制御部１２０へ伝えられる。
【００２７】
受信電力検出部１１９は、制御信号受信部１１８によって受信された信号の受信電力を検出する。本実施形態では、受信電力検出部１１９による受信電力の検出結果に基づいて、装置本体から無線送信される制御信号の受信状態が把握される。受信電力検出部１１９の内部構成や具体的機能については後に詳述する。
【００２８】
次に装置本体について説明する。超音波プローブの送信アンテナ１１４から送信された無線信号は、図２に示す装置本体の受信アンテナ２０２によって受信されて無線受信部２０４に送られる。
【００２９】
無線受信部２０４は、受信された無線信号に前置増幅処理や電力増幅処理などを施す。さらに、ＰＳＫなどのデジタル変調処理が施された無線信号に対して復調処理を施す。これにより、超音波プローブの無線送信部１１２によって変調される前のデータ、つまり、ＰＳ変換部１１０から出力されるシリアルデータが再生（復元）される。
【００３０】
受信電力検出部２０５は、無線受信部２０４によって受信された信号の受信電力を検出する。本実施形態では、受信電力検出部２０５による受信電力の検出結果に基づいて、超音波プローブから無線送信される信号の受信状態が把握される。受信電力検出部２０５の内部構成や具体的機能については後に詳述する。
【００３１】
ＳＰ変換部２０６は、再生されたシリアルデータに含まれる８チャンネルの整相加算データをパラレルデータに変換する。その際、シリアルデータに含まれる受信ビームの同期データに基づいて８チャンネルのパラレルデータに変換する。
【００３２】
こうして、超音波プローブのデジタルビームフォーマ１０８によって形成されたデータに対応するパラレルデータがメモリ２０８に記憶される。メモリ２０８に記憶されたデータは、メモリ２０８の後段の処理に応じたタイミングで読み出される。なお、メモリ２０８としては、例えばＦＩＦＯ（First Input First Output）型のデバイスが利用される。
【００３３】
デジタルビームフォーマ２１０は、メモリ２０８に記憶されたパラレルデータを読み出して、第二段階目の整相加算処理を実行する。つまり、デジタルビームフォーマ１０８によって形成されたデータに相当するパラレルデータをメモリ２０８から読み出し、読み出した８チャンネル分のパラレルデータに基づいて整相加算処理を実行し、全ての振動子１０２から得られる受波データを纏めて１本のビームデータを形成する。ビームデータは受信ビームごとに次々に形成されて画像形成部２１２へ出力される。
【００３４】
画像形成部２１２は、受信ビームごとに次々に形成されるビームデータに基づいて、Ｂモード画像、Ｍモード画像、ドプラ画像などの超音波画像の画像データを形成する。そして、形成された画像データに対応した超音波画像がモニタ２１４に表示される。
【００３５】
操作パネル２２２は、ユーザ操作を受け付けるデバイスであり、例えば、複数のボタンスイッチ、キーボード、トラックボール、マウスなどで構成される。本体制御部２２０は、操作パネル２２２を介して入力されるユーザ操作などに応じて装置本体内の各部を制御する。また、本体制御部２２０によって生成された制御情報は、制御信号送信部２１８へ伝えられ、制御信号送信部２１８は制御情報に対応した制御信号を送信アンテナ２１６から超音波プローブへ無線送信する。
【００３６】
このように、図１および図２に示したワイヤレス超音波診断装置は、超音波プローブと装置本体との間で無線送信される信号の受信電力を受信電力検出部１１９，２０５で検出している。そこで、受信電力検出部１１９，２０５の内部構成について説明する。
【００３７】
図３は、受信電力検出部１１９，２０５の内部構成を説明するための図である。アンテナ３０２で受信された受信信号、つまり、装置本体から超音波プローブへ無線送信された制御信号または超音波プローブから装置本体へ無線送信されたエコー信号は、アンプ３０４において増幅処理されてミキサ３０６へ供給される。
【００３８】
ミキサ３０６には、発信器３０８から参照信号が供給されており、ミキサ３０６において、受信信号と参照信号の乗算処理が実行され、受信信号が中間周波数帯域あるいはベースバンド周波数帯域に変換される。そして、ミキサ３０６から出力される信号が、さらに、検波回路３１０において検波処理されて後段の回路等へ出力される。
【００３９】
ミキサ３０６から出力される信号は、受信電力検出部１１９，２０５へも供給され、ログアンプ３１２において増幅処理されてレベル判定回路３１４へ供給される。レベル判定回路３１４は、コンパレータまたはアナログデジタルコンバータなどを備えており、ログアンプ３１２から出力される信号の電力を検出する。
【００４０】
こうして、受信電力検出部１１９，２０５によって、装置本体から超音波プローブへ無線送信された制御信号または超音波プローブから装置本体へ無線送信されたエコー信号の受信電力が検出される。
【００４１】
図４は、受信電力検出部の検出結果を利用した機能を説明するための図である。図４（ａ）は、装置本体が備える受信機４００を示している。受信機４００は、例えば、図２に示した無線受信部２０４や受信電力検出部２０５を内部に備えている。さらに、受信機４００は、図４（ａ）に示すように、受信電力表示部４１０、受信エラー表示部４２０、電源表示部４３０を備えている。
【００４２】
受信電力表示部４１０は、受信電力検出部によって検出された受信電力の大きさを表示する。受信電力表示部４１０は、複数のＬＥＤなどで構成され、複数のＬＥＤの点灯数によって受信電力を表現する。例えば、下側（受信エラー表示部４２０側）から、受信電力の大きさに応じた個数分だけＬＥＤを点灯させる。図４（ａ）には、受信電力表示部４１０の３つのＬＥＤのうちの下側から２つが点灯している状態を示している。ちなみに、３つのＬＥＤの全てが点灯した場合が最も受信電力が大きい状態である。
【００４３】
また、受信電力検出部によって検出された受信電力が所定レベルよりも低い場合には、受信エラー表示部４２０のＬＥＤが点灯する。例えば、全く受信信号が検出できていない場合や、受信信号が検出されているものの復調処理などが正常にできる電力レベルではない場合などに、受信エラー表示部４２０のＬＥＤが点灯する。なお、電源表示部４３０は、受信機４００の電源が投入されている場合に点灯する。
【００４４】
このように、受信機４００に受信電力表示部４１０が設けられており、受信電力検出部（図２の符号２０５）によって検出された受信電力の大きさが表示される。そのため、本実施形態のワイヤレス超音波診断装置を利用するユーザは、例えば、超音波プローブを動かしながら診断する場合に、装置本体側がエコー信号を受信することができる受信可能範囲などを、受信電力表示部４１０の表示内容から視覚的に把握することができ、ワイヤレス超音波診断装置の操作性がさらに向上する。
【００４５】
また、受信電力表示部４１０の表示内容から、無線信号波が届いているのか届いていないのかを確認することができるため、超音波画像が乱れたり表示されない場合に、超音波プローブと装置本体との間の無線送受信の問題なのか他の不具合なのかの判断が容易になる。
【００４６】
なお、装置本体が、超音波プローブから無線送信される信号をダイバシティ方式で受信する複数の受信機４００を有している場合には、各受信機４００ごとに、その受信機４００で受信された信号の受信電力を検出して受信電力の大きさを表示する。これにより、ダイバシティ方式で受信する複数の受信機４００の各々の受信状態を把握することが可能になり、例えば、超音波プローブの送信アンテナ（図１の符号１１４）を最適な方向へ向ける際の目安となる。
【００４７】
図４（ｂ）は、受信機４００が備える受信電力表示部４１０の別の態様を示している。図４（ｂ）に示すように、棒グラフ状に形成された表示態様によって受信電力の大きさを表示してもよい。つまり、受信電力の大きさに応じた個数分だけ、棒グラフ状に形成された表示態様を下側（電源表示部４３０側）から点灯させて、受信電力の大きさを表現してもよい。なお、受信電力表示部４１０として１つのＬＥＤを利用し、受信電力の大きさに応じた色や点滅間隔や光量などによって、受信電力の大きさを表現してもよい。
【００４８】
図４（ｃ）は、装置本体が備えるモニタ２１４の表示態様の一例を示している。図２を利用して説明したように、モニタ２１４には、画像形成部（図２の符号２１２）で形成された超音波画像４５０が表示される。さらに、モニタ２１４には、図４（ｃ）に示すように、受信電力検出部の検出結果を反映させた表示態様が表示される。
【００４９】
受信電力表示画像４７０は、受信電力検出部によって検出された受信電力の大きさを表示する。受信電力表示画像４７０は、例えば、図４（ｃ）に示すように、アンテナを模式的に示した表示態様と、受信電力の大きさを示す複数の棒状の表示態様によって構成されている。そして、受信電力の大きさに応じた本数分だけ複数の棒状の表示態様を表示させる。図４（ｃ）に示す受信電力表示画像４７０は、３本の棒状の表示態様を表示させた状態を示している。３本の棒状の表示態様を表示させた状態が最も受信電力の大きい状態であり、受信電力が低下するにしたがって、棒状の表示態様は、２本、１本、０本と表示本数を減らしていく。
【００５０】
なお、他の表示態様によって受信電力を表示してもよい。例えば、受信電力の大きさを数値で表現してもよいし、図４（ａ）（ｂ）に示した受信電力表示部４１０の表示態様を画像で表現してもよい。また、例えば、指針によって受信電力の大きさを指し示すアナログメータを利用してもよいし、そのアナログメータを画像化した表示態様を表示させてもよい。さらに、受信電力の大きさに応じて、超音波画像４５０の表示色や超音波画像４５０の背景色を変化させてもよい。
【００５１】
受信エラー表示画像４６０は、受信電力検出部によって検出された受信電力が所定レベルよりも低い場合に表示される。例えば、全く受信信号が検出できていない場合や、受信信号が検出されているものの復調処理などが正常にできる電力レベルではない場合などに、受信エラー表示画像４６０が表示される。また、受信電力が所定レベルよりも低い場合には、超音波画像４５０の動画表示を止めて、超音波画像４５０を静止表示（フリーズ）させる。なお、検出された受信電力が所定レベルよりも低い場合には、超音波プローブや装置本体から警告音を鳴らすようにしてもよい。
【００５２】
図４に示した各種表示態様により、超音波プローブから装置本体へ無線送信されるエコー信号の受信状態が表示される。なお、図４は、装置本体側の表示態様を示しているが、エコー信号の受信状態を超音波プローブ側に表示させてもよい。例えば、受信電力表示部４１０や受信エラー表示部４２０を超音波プローブに設けてもよいし、超音波プローブにモニタを設けてそのモニタに受信電力表示画像４７０や受信エラー表示画像４６０を表示させてもよい。
【００５３】
また、超音波プローブ側に設けた表示機能を利用して、装置本体から超音波プローブへ無線送信される制御信号の受信状態を表示させてもよい。つまり、超音波プローブ側の受信電力検出部（図１の符号１１９）で検出される受信電力の大きさなどを、超音波プローブ側に表示する。
【００５４】
また、受信電力検出部の検出結果を利用した機能として、受信状態情報をデータ記憶部へ記憶する機能を実現させてもよい。例えば、装置本体内に設けられたハードディスクなどの記憶機器、あるいは、装置本体に接続された記憶機器に、超音波画像の画像データと共に、その超音波画像に対応した信号の受信電力の状態を示す受信状態情報を記憶する。例えば、図４（ｃ）に示すように、超音波画像４５０と共に受信電力表示画像４７０を記憶機器に記憶させる。これにより、後に記憶機器から画像データを読み出して超音波画像４５０を表示させた場合に、その超音波画像４５０を取得した際の受信電力の状態を知ることができる。
【００５５】
以上、本発明の好適な実施形態を説明したが、上述した実施形態は、あらゆる点で単なる例示にすぎず、本発明の範囲を限定するものではない。本発明は、その本質を逸脱しない範囲で各種の変形形態を包含する。
【図面の簡単な説明】
【００５６】
【図１】本発明に係るワイヤレス超音波診断装置の超音波プローブを説明するための機能ブロック図である。
【図２】本発明に係るワイヤレス超音波診断装置の装置本体を説明するための機能ブロック図である。
【図３】受信電力検出部の内部構成を説明するための図である。
【図４】受信電力検出部の検出結果を利用した機能を説明するための図である。
【符号の説明】
【００５７】
１１９，２０５  受信電力検出部、４１０  受信電力表示部、４２０  受信エラー表示部、４６０  受信エラー表示画像、４７０  受信電力表示画像。
【図１】
2008018109.tif 000003
【図２】
2008018109.tif 000004
【図３】
2008018109.tif 000005
【図４】
2008018109.tif 000006